(57)【要約】【課題】  カバーのランプハウジングに対する良好な接合状態を確保する。【解決手段】内部空間を有し溶着面が形成されたランプハウジングと内部空間を覆うカバーとを備えカバーがランプハウジングにレーザー溶着によって接合されると共に他の車輌用灯具に隣接される車輌用灯具において、カバーには、外周部の外面が曲面として形成された意匠面部と、意匠面部における外周寄りの部分から突出され先端面が溶着面に接合される被溶着面として形成された溶着脚部とが設けられ、意匠面部の外面における曲面の内周側の環状の部分がレーザー光の入射面として形成され、曲面が、被溶着面における他の車輌用灯具側の外端を通り溶着脚部の意匠面部からの突出方向に平行な仮想線と意匠面部の外面との交点よりも外周側に位置される。【選択図】図３
2020131512.tif 000002
【特許請求の範囲】
【請求項１】
内部空間を有し溶着面が形成されたランプハウジングと前記内部空間を覆うカバーとを備え前記カバーが前記ランプハウジングにレーザー溶着によって接合されると共に他の車輌用灯具に隣接される車輌用灯具であって、
前記カバーには、外周部の外面が曲面として形成された意匠面部と、前記意匠面部における外周寄りの部分から突出され先端面が前記溶着面に接合される被溶着面として形成された溶着脚部とが設けられ、
前記意匠面部の外面における前記曲面の内周側の環状の部分がレーザー光の入射面として形成され、
前記曲面が、前記被溶着面における他の車輌用灯具側の外端を通り前記溶着脚部の前記意匠面部からの突出方向に平行な仮想線と前記意匠面部の外面との交点よりも外周側に位置された
車輌用灯具。
【請求項２】
前記被溶着面が前記入射面と平行にされた
請求項１に記載の車輌用灯具。
【請求項３】
前記被溶着面が前記カバーの前記ランプハウジングに対する押し当て方向に直交する
請求項１又は請求項２に記載の車輌用灯具。
【請求項４】
前記意匠面部における前記交点と前記曲面の間の部分が前記入射面と同じ方向を向く平面に形成された
請求項１、請求項２又は請求項３に記載の車輌用灯具。
【発明の詳細な説明】
【技術分野】
【０００１】
本発明は、カバーがランプハウジングにレーザー溶着によって接合される車輌用灯具についての技術分野に関する。
【背景技術】
【０００２】
テールランプ等の車輌用灯具には、例えば、車輌の非可動部と可動部にそれぞれ配置され、隣接して位置された状態で双方の車輌用灯具が恰も一つの車輌用灯具であるように一体的に認識される所謂シームレスタイプの車輌用灯具がある。例えば、非可動部である車輌の本体部に一方の車輌用灯具が配置され、可動部であるトランクリッドに他方の車輌用灯具が配置され、トランクリッドが閉じられた状態において一方の車輌用灯具と他方の車輌用灯具とが隣接して位置される。
【０００３】
このようなシームレスタイプの車輌用灯具において、一方の車輌用灯具と他方の車輌用灯具のそれぞれには、外面が車輌の外方を向く意匠面部の他に、隣接した状態で互いに対向して位置され光の透過が可能な溶着脚部が設けられている（例えば、特許文献１参照）。特許文献１においては溶着脚部が「脚壁」として示されている。溶着脚部は意匠面部の外周部のうち隣接する車輌用灯具側の端部又は端部寄りの部分から突出して設けられ、溶着脚部がランプハウジングに、例えば、レーザー溶着によって溶着されることでカバーがランプハウジングに接合される。
【０００４】
シームレスタイプの車輌用灯具において、例えば、一方の車輌用灯具の光源から光が出射されると、出射された光が、一方の車輌用灯具におけるカバーの意匠面部を透過されて外部へ向けて照射されると共に対向する二つの溶着脚部を透過されて他方の車輌用灯具に入射され他方の車輌用灯具におけるカバーの意匠面部を透過されて外部へ向けて照射される。従って、双方の車輌用灯具が恰も一つの車輌用灯具であるように一体的に認識される。
【先行技術文献】
【特許文献】
【０００５】
【特許文献１】特開２０１７−１８９８８７号公報
【発明の概要】
【発明が解決しようとする課題】
【０００６】
ところで、車輌用灯具におけるカバーの外周部は、万が一、人の手が触れた場合でも安全性の確保がされるように曲面状に面取り加工されている。
【０００７】
一方、溶着脚部の意匠面部からの突出方向は、車輌用灯具の設計によって定められ、様々な方向にされている。従って、レーザー溶着時のレーザー光の照射方向は溶着脚部の意匠面部からの突出方向に応じて定められるが、レーザー光の照射方向や入射位置によっては意匠面部にレーザー光が入射されるときに屈折が生じ、溶着面に照射されるレーザー光の強度に偏りが生じ、溶着が不十分な部分が生じたり過剰なレーザー光の照射による樹脂の分解が生じるおそれがある。
【０００８】
上述したようにカバーの外周部が曲面状にされている場合においては、レーザー光が曲面状の部分に照射されると、レーザー光が曲面において様々な方向に屈折され溶着面に照射されるレーザー光の強度に偏りが生じ易くなり、カバーのランプハウジングに対する接合に不具合を来し易くなる。
【０００９】
そこで、本発明車輌用灯具は、カバーのランプハウジングに対する良好な接合状態を確保することを目的とする。
【課題を解決するための手段】
【００１０】
第１に、本発明に係る車輌用灯具は、内部空間を有し溶着面が形成されたランプハウジングと前記内部空間を覆うカバーとを備え前記カバーが前記ランプハウジングにレーザー溶着によって接合されると共に他の車輌用灯具に隣接される車輌用灯具であって、前記カバーには、外周部の外面が曲面として形成された意匠面部と、前記意匠面部における外周寄りの部分から突出され先端面が前記溶着面に接合される被溶着面として形成された溶着脚部とが設けられ、前記意匠面部の外面における前記曲面の内周側の環状の部分がレーザー光の入射面として形成され、前記曲面が、前記被溶着面における他の車輌用灯具側の外端を通り前記溶着脚部の前記意匠面部からの突出方向に平行な仮想線と前記意匠面部の外面との交点よりも外周側に位置されたものである。
【００１１】
これにより、意匠面部の外面に照射されるレーザー光において、レーザー光が曲面から入射されず、レーザー光が部分的に大きな角度で屈折されることなくレーザー光の全体が溶着面に到達する。
【００１２】
第２に、上記した本発明に係る車輌用灯具においては、前記被溶着面が前記入射面と平行にされることが望ましい。
【００１３】
これにより、入射面から被溶着面までのレーザー光の透過距離がレーザー光の光束における何れの位置においても一定に保たれる。
【００１４】
第３に、上記した本発明に係る車輌用灯具においては、前記被溶着面が前記カバーの前記ランプハウジングに対する押し当て方向に直交することが望ましい。
【００１５】
これにより、カバーがランプハウジングに押し当てられる方向の力が溶着面に効率的に作用される。
【００１６】
第４に、上記した本発明に係る車輌用灯具においては、前記意匠面部における前記交点と前記曲面の間の部分が前記入射面と同じ方向を向く平面に形成されることが望ましい。
【００１７】
これにより、加工精度によって外面に対する曲面の位置精度が低下したりレーザー光の照射位置にズレが生じた場合でも、レーザー光が曲面から入射され難い。
【発明の効果】
【００１８】
本発明によれば、意匠面部の外面に照射されるレーザー光において、レーザー光が曲面から入射されず、レーザー光が部分的に大きな角度で屈折されることなくレーザー光の全体が溶着面に到達するため、カバーのランプハウジングに対する良好な接合状態を確保することができる。
【図面の簡単な説明】
【００１９】
【図１】図２乃至図６と共に本発明車輌用灯具の実施の形態を示すものであり、本図は、車輌用灯具が車輌に配置された状態を示す背面図である。
【図２】車輌用灯具の断面図である。
【図３】溶着脚部の溶着部分を示す拡大断面図である。
【図４】意匠面部の外面に平面が設けられた例を示す拡大断面図である。
【図５】被溶着面が意匠面部と平行にされた例を示す拡大断面図である。
【図６】被溶着面がカバーのランプハウジングに対する押し当て方向に直交する例を示す拡大断面図である。
【発明を実施するための形態】
【００２０】
以下に、本発明車輌用灯具を実施するための形態について添付図面を参照して説明する。
【００２１】
以下に示した実施の形態は、本発明車輌用灯具をテールランプの機能を有するコンビネーションランプに適用したものである。尚、本発明は、ターンシグナルランプ、クリアランスランプ、ストップランプ、デイタイムランニングランプ、コーナーリングランプ、ハザードランプ、ポジションランプ、バックランプ又はこれらの組み合わせであるコンビネーションランプ等の各種の車輌用灯具に広く適用することができる。
【００２２】
以下の説明にあっては、光源からの光の外部への照射方向を後方として前後上下左右の方向を示すものとする。但し、以下に示す前後上下左右の方向は説明の便宜上のものであり、本発明の実施に関しては、これらの方向に限定されることはない。
【００２３】
＜車輌の概略構成＞
先ず、車輌用灯具の配置状態等に関する車輌の概略構成について説明する（図１参照）。
【００２４】
車輌用灯具１、１は、例えば、車輌１００の左右両端部にそれぞれ取り付けられて配置されている。車輌用灯具１は、例えば、車輌１００の本体部１０１等の非可動部に配置されている。
【００２５】
可動部であるトランクリッド１０２の左右両端部には他の車輌用灯具１Ａ、１Ａが配置され、トランクリッド１０２が閉じられた状態において車輌用灯具１Ａ、１Ａがそれぞれ車輌用灯具１、１の内側において隣接して位置される。
【００２６】
車輌用灯具１は、例えば、テールランプの機能の他にストップランプ及びターンシグナルランプの機能を有するコンビネーションランプとして設けられ、車輌用灯具１Ａは、例えば、テールランプの機能の他にバックアップランプの機能を有するコンビネーションランプとして設けられている。
【００２７】
尚、上記には、車輌用灯具１が車輌１００の本体部１０１等の非可動部に配置され、車輌用灯具１Ａがトランクリッド１０２等の可動部に配置された例を示したが、逆に、車輌用灯具１がトランクリッド１０２等の可動部に配置され、車輌用灯具１Ａが車輌１００の本体部１０１等の非可動部に配置されていてもよい。
【００２８】
＜車輌用灯具の構成＞
次に、本発明の車輌用灯具を実施するための形態について説明する。
【００２９】
車輌用灯具１は、例えば、後方に開口されたランプハウジング２とランプハウジング２の内部空間２ａを閉塞するカバー３とを備えている（図２参照）。ランプハウジング２とカバー３によって灯具外筐４が構成されている。
【００３０】
灯具外筐４の内部には光を出射する光源５、５、・・の他に、例えば、光源から出射された光を所定の方向へ導く図示しない導光体等が配置されている。光源５としては、例えば、発光ダイオード（ＬＥＤ: Light Emitting Diode）が用いられている。光源５は一つのみが配置されていてもよい。
【００３１】
ランプハウジング２は不透明な樹脂材料によって形成され、例えば、略前後方向を向くベース面部２ｂとベース面部２ｂの外周部から略後方に突出された周面部２ｃと周面部２ｃの後端部から外方に張り出されフランジ状に形成された環状部２ｄとを有している。
【００３２】
環状部２ｄの隣接する車輌用灯具１Ａ側に位置される部分は、外方に向かうに従って前方に変位するように傾斜されている。環状部２ｄの後面は溶着面６として形成されている。
【００３３】
カバー３は透明な樹脂材料によって形成され、平板状に形成された意匠面部７と意匠面部７の外周寄りの部分から突出された溶着脚部１０とが一体に形成されて成る。
【００３４】
意匠面部７の外面７ａは、外周部が外方に凸の曲面８として形成され、曲面８の内周側の環状の部分がレーザー光Ｂの入射面９として形成されている。入射面９は略後方を向く平面状に形成されている。
【００３５】
溶着脚部１０は少なくとも意匠面部７における隣接する車輌用灯具１Ａ側の部分から、前方に行くに従って側方に変位する方向に突出されている。
【００３６】
溶着脚部１０の先端面は溶着面６にレーザー溶着によって接合される被溶着面１１として形成されている。被溶着面１１は溶着脚部１０の突出方向に直交され、被溶着面１１の幅は溶着面６の幅より小さくされている。
【００３７】
上記のように構成された車輌用灯具１において、被溶着面１１における隣接する車輌用灯具１Ａ側の外端１１ａを通り溶着脚部１０の突出方向に平行な仮想線Ｌが意匠面部７の外面７ａと交差する点を交点Ｐとすると、曲面８は交点Ｐよりも外周側に位置されている（図３参照）。
【００３８】
上記のように構成された車輌用灯具１においては、レーザー溶着によりカバー３がランプハウジング２に接合される。レーザー溶着によるカバー３のランプハウジング２への接合は、レーザー光Ｂが入射面９へ向けて照射されることにより行われる。
【００３９】
尚、ランプハウジング２に対するカバー３の溶着の方式としては、例えば、溶着脚部１０へのレーザー光Ｂの照射にはスキャン式が用いられ、それ以外の部分へのレーザー光Ｂの照射にはガルバノ式が用いられる。但し、全ての部分へのレーザー光Ｂの照射にスキャン式又はガルバノ式が用いられてもよい。
【００４０】
入射面９から入射されたレーザー光Ｂは、意匠面部７又は意匠面部７と溶着脚部１０を透過され、ランプハウジング２の溶着面６に到達する。レーザー光Ｂが溶着面６に到達することにより、意匠面部７の内面又は被溶着面９と溶着面６とが溶融されてカバー３がランプハウジング２に接合される。
【００４１】
カバー３の隣接する車輌用灯具１Ａ側の外周部においては、光束の全体を溶着面６に到達させて高い光の強度を確保するために、レーザー光Ｂは光束の中心が被溶着面１１の幅方向における中央に到達されるように入射面９での屈折を考慮した方向からカバー３に向けて照射される。尚、レーザー光Ｂの屈折方向は、溶着脚部１０の突出方向と一致することが望ましい。
【００４２】
しかしながら、車輌用灯具１においては、曲面８が交点Ｐよりも外周側に位置されているため、レーザー光Ｂが曲面８から入射されず、レーザー光Ｂが部分的に大きな角度で屈折されることなくレーザー光Ｂの全体が溶着面６に到達する。
【００４３】
従って、レーザー光Ｂが十分な強度を確保したまま偏りなく溶着面６に到達することで、カバー３のランプハウジング２に対する良好な接合状態を確保することができる。
【００４４】
尚、意匠面部７の外面７ａにおける曲面８と交点Ｐの間の部分が入射面と同じ方向を向く平面１２として形成されていてもよい（図４参照）。
【００４５】
これにより、加工精度によって外面７ａに対する曲面８の位置精度が低下したり、レーザー光Ｂの照射位置にズレが生じた場合でも、レーザー光Ｂが曲面８から入射されにくくなるため、レーザー光Ｂの溶着面６に対する高い照射精度を確保することができる。
【００４６】
また、被溶着面１１が入射面９と平行にされていてもよい（図５参照）。
【００４７】
これにより、入射面９から被溶着面１１までのレーザー光Ｂの透過距離Ｄがレーザー光Ｂの光束における何れの位置においても一定に保たれるため、透過距離Ｄの違いによるレーザー光Ｂの減衰の差が生じにくく、溶着面６に到達するレーザー光Ｂの強度が偏りにくくされる。
【００４８】
従って、被溶着面１１に到達するレーザー光Ｂの強度がより均一にされ、カバー３のランプハウジング２に対するより良好な接合状態を確保することができる。
【００４９】
さらにまた、レーザー溶着の作業時にはカバー３がランプハウジング２に押し当てられた状態でレーザー光Ｂが照射されるが、被溶着面８がカバー３のランプハウジング２に対する押し当て方向に対して直交されていてもよい（図６参照）。
【００５０】
これにより、カバー３がランプハウジング２に押し当てられる方向の力が溶着面６に効率的に作用されるため、被溶着面１１が溶着面６に安定した状態で面接触され、カバー３をランプハウジング２に対して確実に接合することができる。
【符号の説明】
【００５１】
１…車輌用灯具、２…ランプハウジング、３…カバー、６…溶着面、７…意匠面部、７ａ…外面、８…曲面、９…入射面、１０…溶着脚部、１１…被溶着面、１２…平面、Ｌ…仮想線、Ｐ…交点
【図１】
2020131512.tif 000003
【図２】
2020131512.tif 000004
【図３】
2020131512.tif 000005
【図４】
2020131512.tif 000006
【図５】
2020131512.tif 000007
【図６】
2020131512.tif 000008